(57)【特許請求の範囲】
【請求項１】
予め登録された登録端末のみと通信する基地局装置において、
前記登録端末以外の端末である未登録端末が自局のカバレッジエリア内に存在するか否かを判断する未登録端末存否判断部と、
前記未登録端末存否判断部による判断結果に基づいて、自局のアンテナ送信モードを決定するアンテナ送信モード決定部と、
前記未登録端末存否判断部による判断結果に基づいて、自局のスケジューラモードを決定するスケジューラモード決定部と、
前記未登録端末存否判断部による判断結果に基づいて、無線リソース割当情報を通知する物理制御チャネルが使用するＯＦＤＭシンボル数を決定するＯＦＤＭシンボル数決定部と
を備えることを特徴とする基地局装置。
【請求項２】
前記アンテナ送信モード決定部は、
前記未登録端末存否判断部によって自局のカバレッジエリア内に未登録端末が存在しないと判断された場合、自局に装備されているアンテナ本数に応じて前記アンテナ送信モードを決定し、
前記未登録端末存否判断部によって自局のカバレッジエリア内に未登録端末が存在すると判断された場合、当該未登録端末が通信する他の基地局のアンテナ本数に係る情報の有無に応じて前記アンテナ送信モードを決定する
ことを特徴とする請求項１に記載の基地局装置。
【請求項３】
前記アンテナ送信モード決定部は、
未登録端末存否判断部によって自局のカバレッジエリア内に未登録端末が存在すると判断された場合において、前記他の基地局の前記アンテナ本数に係る情報が無いときは、前記アンテナ送信モードをシングルアンテナ送信モードに決定し、前記他の基地局の前記アンテナ本数に係る情報が有るときは、前記他の基地局のアンテナ本数と自局のアンテナ本数との関係に基づいて、前記アンテナ送信モードを決定する
ことを特徴とする請求項２に記載の基地局装置。
【請求項４】
前記アンテナ送信モード決定部は、
前記アンテナ送信モードをシングルアンテナ送信モードに決定するときは、シングルアンテナ送信モードにおいて利用するアンテナポートとして、自局にフィードバックされたＷｉｄｅｂａｎｄ  ＣＱＩ（Wideband Channel quality）の平均値の良い方を選択する
ことを特徴とする請求項３に記載の基地局装置。
【請求項５】
前記スケジューラモード決定部は、
前記未登録端末存否判断部によって自局のカバレッジエリア内に未登録端末が存在しないと判断された場合、前記スケジューラモードをダイナミックスケジューラモードに決定し、
前記未登録端末存否判断部によって自局のカバレッジエリア内に未登録端末が存在すると判断された場合、前記スケジューラモードをセミパーシステントスケジューラモードに決定する
ことを特徴とする請求項１から請求項４の何れか１項に記載の基地局装置。
【請求項６】
前記スケジューラモード決定部は、
スケジューラモードがセミパーシステントスケジューラであるときに、定期的に、あるいは、イベントドリブン的に、スケジューラモードをセミパーシステントスケジューラモードからダイナミックスケジューラモードに切り替える
ことを特徴とする請求項５に記載の基地局装置。
【請求項７】
前記ＯＦＤＭシンボル数決定部は、
前記未登録端末存否判断部によって自局のカバレッジエリア内に未登録端末が存在しないと判断された場合、前記ＯＦＤＭシンボル数を０以外の値に決定し、
前記未登録端末存否判断部によって自局のカバレッジエリア内に未登録端末が存在すると判断された場合、前記ＯＦＤＭシンボル数を０に決定する
ことを特徴とする請求項１から請求項５の何れか１項に記載の基地局装置。
【請求項８】
前記ＯＦＤＭシンボル数決定部は、
ＯＦＤＭシンボル数が０であるときに、定期的に、あるいは、イベントドリブン的に、ＯＦＤＭシンボル数を０から０以外の値に切り替える
ことを特徴とする請求項７に記載の基地局装置。
【請求項９】
予め登録された登録端末のみと通信する基地局装置のコンピュータに、
前記登録端末以外の端末である未登録端末が自局のカバレッジエリア内に存在するか否かを判断する判断ステップと、
前記判断ステップによる判断結果に基づいて、自局のアンテナ送信モードを決定するアンテナ送信モード決定ステップと、
前記判断ステップによる判断結果に基づいて、自局のスケジューラモードを決定するスケジューラモード決定ステップと、
前記判断ステップによる判断結果に基づいて、無線リソース割当情報を通知する物理制御チャネルが使用するＯＦＤＭシンボル数を決定するＯＦＤＭシンボル数決定ステップと
を実行させることを特徴とするプログラム。
【発明の詳細な説明】
【技術分野】
【０００１】
本発明は、基地局装置およびプログラムに関する。
【背景技術】
【０００２】
現在、３ＧＰＰ（3rd Generation Partnership Project）などの無線インターフェースの標準化団体では、Ｗ−ＣＤＭＡなどの第３世代システムのさらなる周波数利用効率の改善を目指して、ＬＴＥ（Long Term Evolution）に代表される、第３世代の後継システムの標準化が進んでいる。ＬＴＥにおけるダウンリンクの無線アクセス方式は、ＯＦＤＭＡ（Orthogonal Frequency Division Multiple Access）である。ＯＦＤＭＡでは、システム帯域幅を複数のサブキャリア群に分割し、サブキャリア群ごとに異なる端末にデータチャネルを割り当てる。また、ＯＦＤＭＡでは、サブキャリア群の構成や割り当て端末を時間とともに変更する。従って、ＯＦＤＭＡシステムでは、周波数成分と時間成分からなる２次元的な無線リソースを用いて、柔軟に、物理チャネルを割り当てることができる（例えば、非特許文献１、２参照）。
【０００３】
ＬＴＥのダウンリンクでは、チャネル品質推定のために、ＲＳ（Reference Signal）と称されるチャネル品質測定用信号が不可欠である。
また、ＬＴＥでは、ＰＤＣＣＨ（Physical Downlink Control Channel）と称される無線リソース割当情報を通知する物理制御チャネルを用いて、時変するアップリンクとダウンリンクのデータチャネルの割当情報を端末に通知する。
また、ＬＴＥのダウンリンクでは、ＰＣＦＩＣＨ（Physical Control Format Indicator Channel）と称されるＰＤＣＣＨのＯＦＤＭシンボル数情報（ＰＤＣＣＨが使用するＯＦＤＭシンボル数を示す情報）を通知する物理制御チャネルを用いて、ＰＤＣＣＨが使用するＯＦＤＭシンボル数を端末に通知する。なお、ＬＴＥの下りサブフレームは、１４ＯＦＤＭシンボル×帯域のサブキャリア数により構成され、ＰＤＣＣＨの割り当てに使用するＰＤＣＣＨ領域は、先頭ＯＦＤＭシンボルから最大３ＯＦＤＭシンボルである。
【０００４】
図４を用いて、ＬＴＥのダウンリンクでのＲＳ、ＰＣＦＩＣＨ、ＰＤＣＣＨの無線リソースの配置に関して説明する。図４は、ＲＥとＲＥＧについて説明するための説明図である。
（ＲＥＧ（Resource Element Group）の定義）
１ＲＥＧ＝１ＯＦＤＭシンボル×４Ｓｕｂｃａｒｒｉｅｒと定義されている。また、ＬＴＥでは、１ＯＦＤＭシンボル×１ＳｕｂｃａｒｒｉｅｒをＲＥ（Resource Element）と定義しているため、図４に示すように１ＲＥＧ＝４ＲＥである。
【０００５】
ＬＴＥのダウンリンクの制御チャネルはＲＥＧ単位で無線リソースを占用する。以下、（ｘ，ｙ）を用いてＲＥＧを表記する。但し、ｘはｔｈｅ  ｌｏｗｅｓｔ  ｓｕｂｃａｒｒｉｅｒ（ｉｎｃｌｕｄｉｎｇ  ｒｅｆｅｒｅｎｃｅ  ｓｉｇｎａｌ）  ｉｎ  ｔｈｅ  ＲＥＧ、ｙはｔｈｅ  ＯＦＤＭシンボルＩＤである。
【０００６】
（ＲＳの無線リソースの配置）
ＬＴＥのダウンリンクでは、ＲＳの無線リソースは、アンテナポート数に依存して決定される。具体的には、ＲＳの無線リソースは、下記式（１）に従って決定される。なお、図４では、アンテナ本数＝２、Ｃｅｌｌ  ＩＤ＝０の基地局におけるＲＳ配置例を示している。
【０００７】
【数１】
0005335748.tif 000002
【０００８】
【数２】
0005335748.tif 000003
【０００９】
図４、上記式（１）〜（３）に示すように、アンテナ２本の場合、ＲＳ配置は最大３パターンとなる。つまり、隣接基地局のＲＳ配置と重なる可能性がある。
【００１０】
（ＰＣＦＩＣＨの無線リソースの配置）
ＰＣＦＩＣＨの無線リソースは、ＯＦＤＭシンボルＩＤ＝０の４ＲＥＧを利用し、下記式（４）に従って決定される。
【００１１】
【数３】
0005335748.tif 000004
【００１２】
なお、マルチアンテナの場合、各アンテナポートの同じ無線リソースを利用して、ＰＣＦＩＣＨの送信ｄｉｖｅｒｓｉｔｙモードを利用してＰＣＦＩＣＨを送信する。例えば、ｃｅｌｌ  ＩＤ＝０の場合、（０，０）（１５０，０）（３００，０）（４５０，０）の４ＲＥＧをＰＣＦＩＣＨに割り当てる。ｃｅｌｌ  ＩＤ＝１の場合、（６，０）（１５６，０）（３０６，０）（４５６，０）の４ＲＥＧをＰＣＦＩＣＨに割り当てる。ｃｅｌｌ  ＩＤ＝２５の場合、（１５０，０）（３００，０）（４５０，０）（０，０）の４ＲＥＧをＰＣＦＩＣＨに割り当てる。
【００１３】
（ＰＤＣＣＨの無線リソースの配置）
各端末のＰＤＣＣＨについては、ＣＣＥ（Control Channel Element）単位で、無線リソースを利用する。ＬＴＥのｓｐｅｃｉｆｉｃａｔｉｏｎによれば、ＰＤＣＣＨには、１ＣＣＥ、２ＣＣＥ、４ＣＣＥ又は８ＣＣＥの無線リソースを利用する。なお、ＣＣＥは９ＲＥＧより構成される。
ＣＣＥを構成するＲＥＧとのマッピングは、（０，０）で表すＲＥＧよりスタートし、ｙをインクリメント⇒ｘをインクリメントの順に、他の物理制御チャネルに割り当てていないＲＥＧを順次選択してＣＣＥを構成する。
【００１４】
ところで、現在、大容量のトラヒックが集中して発生する屋内／屋外のローカルエリア（例えば、高層ビル、住宅の屋内、地下街)の無線品質改善および従来のマクロエリアのトラヒックを緩和するための技術が注目されている。即ち、マクロエリア内に、マクロエリアを形成する基地局（以下、「マクロ基地局」という）よりも送信電力が低いフェムト基地局（以下、フェムト基地局によって形成されるセルを「フェムトセル」という）を設置し、マクロエリアを補間する技術である。図５は、マクロセルとフェムトセルより構築されるヘテロジニアス無線アクセスネットワークの模式図である。
【００１５】
フェムト基地局は、ＣＳＧ（Closed Subscriber Group）フェムト基地局と、非ＣＳＧフェムト基地局とに分類することができる。ＣＳＧフェムト基地局は、自局に対して予め登録された登録済みの端末（以下、「ＣＳＧ端末」又は「登録端末」という）のみによって使用され、自局に対して未登録の端末（以下、「非ＣＳＧ端末」又は「未登録端末」という）には使用されないフェムト基地局である。即ち、ＣＳＧフェムト基地局は、ＣＳＧ端末が自身のカバレッジエリア（フェムトセル）内に位置したときにはオープンし、非ＣＳＧ端末が自身のカバレッジエリア内に位置したときにはオープンしない。一方、非ＣＳＧフェムト基地局は、オープンする端末を特に限定しないフェムト基地局である。なお、個宅に設置するフェムト基地局は、ＣＳＧフェムト基地局が適用される場合が多い。個宅のＷｉＦｉにおいては、通常、ユーザはセキュリティ設定し、他人の利用を制限するからである。以下に、ＣＳＧフェムト基地局をＣＳＧ基地局と呼ぶ。
【先行技術文献】
【非特許文献】
【００１６】
【非特許文献１】3GPP, TS 36.211 V9.1.0, “Evolved Universal Terrestrial Radio Access (E-UTRA); Physical Channels and Modulation (Release 9),” March 2010.
【非特許文献２】3GPP, TS 36.213 V9.1.0, “Evolved Universal Terrestrial Radio Access (E-UTRA); Physical layer procedures (Release 9),” March 2010.
【発明の概要】
【発明が解決しようとする課題】
【００１７】
しかしながら、ＣＳＧ基地局によってエリア展開する場合、あるＣＳＧ基地局のカバレッジエリア内に位置する当該ＣＳＧ基地局に対し未登録である非ＣＳＧ端末の物理制御チャネルの受信品質が、当該ＣＳＧ基地局の強い干渉によって低下してしまうという問題がある。即ち、登録端末（ＣＳＧ端末）と通信するために設置された小規模の基地局（ＣＳＧ基地局）のカバレッジエリア内に、未登録端末（非ＣＳＧ端末）が存在した場合、当該未登録端末の物理制御チャネルの受信品質が、当該小規模の基地局の強い干渉によって低下してしまうという問題がある。
【００１８】
具体的には、ＲＳ、ＰＣＦＩＣＨ、ＰＤＣＣＨに関し以下のような問題が生じる。
（ＲＳの受信品質の受信品質の低下と影響）
あるＣＳＧ基地局にアクセスできない非ＣＳＧ端末が当該ＣＳＧ基地局に近づいてきた場合、当該ＣＳＧ基地局からの強い干渉によって、当該非ＣＳＧ端末において、マクロ基地局からのＲＳの受信ができなくなり、頻繁にｒａｄｉｏ  ｌｉｎｋ  ｆａｉｌｕｒｅが発生する恐れがある。
（ＰＣＦＩＣＨの受信品質の低下と影響）
あるＣＳＧ基地局にアクセスできない非ＣＳＧ端末が当該ＣＳＧ基地局に近づいてきた場合、当該ＣＳＧ基地局からの強い干渉によって、当該非ＣＳＧ端末において、マクロ基地局からのＰＣＦＩＣＨの受信ができなくなり、割当情報を復号できなくなる恐れがある。
（ＰＤＣＣＨの受信品質の低下と影響）
あるＣＳＧ基地局にアクセスできない非ＣＳＧ端末が当該ＣＳＧ基地局に近づいてきた場合、当該ＣＳＧ基地局からの強い干渉によって、当該非ＣＳＧ端末において、マクロ基地局からのＰＤＣＣＨの受信ができなくなり、割当情報を復号できなくなる恐れがある。
【００１９】
本発明は、このような事情に鑑みてなされたものであり、登録端末（ＣＳＧ端末）と通信するために設置された小規模の基地局（ＣＳＧ基地局）のカバレッジエリア内に、未登録端末（非ＣＳＧ端末）が存在した場合、当該未登録端末の物理制御チャネルの受信品質の低下を防止又は低減できる基地局装置などを提供することを目的とする。
【課題を解決するための手段】
【００２０】
上記問題を解決するために、本発明の一態様である基地局装置は、予め登録された登録端末（ＣＳＧ端末）のみと通信する基地局装置（ＣＳＧ基地局装置）において、前記登録端末以外の端末である未登録端末（非ＣＳＧ端末）が自局のカバレッジエリア内に存在するか否かを判断する未登録端末存否判断部と、前記未登録端末存否判断部による判断結果に基づいて、自局のアンテナ送信モードを決定するアンテナ送信モード決定部と、前記未登録端末存否判断部による判断結果に基づいて、自局のスケジューラモードを決定するスケジューラモード決定部と、前記未登録端末存否判断部による判断結果に基づいて、無線リソース割当情報を通知する物理制御チャネル（ＰＤＣＣＨ）が使用するＯＦＤＭシンボル数を決定するＯＦＤＭシンボル数決定部とを備えることを特徴とする。
【００２１】
上記基地局装置において、前記アンテナ送信モード決定部は、前記未登録端末存否判断部によって自局のカバレッジエリア内に未登録端末が存在しないと判断された場合、自局に装備されているアンテナ本数に応じて前記アンテナ送信モードを決定し、前記未登録端末存否判断部によって自局のカバレッジエリア内に未登録端末が存在すると判断された場合、当該未登録端末が通信する他の基地局（マクロ基地局）のアンテナ本数に係る情報の有無に応じて前記アンテナ送信モードを決定するようにしてもよい。
【００２２】
上記基地局装置において、前記アンテナ送信モード決定部は、未登録端末存否判断部によって自局のカバレッジエリア内に未登録端末が存在すると判断された場合において、前記他の基地局の前記アンテナ本数に係る情報が無いときは、前記アンテナ送信モードをシングルアンテナ送信モードに決定し、前記他の基地局の前記アンテナ本数に係る情報が有るときは、前記他の基地局のアンテナ本数と自局のアンテナ本数との関係に基づいて、前記アンテナ送信モードを決定するようにしてもよい。
【００２３】
上記基地局装置において、前記アンテナ送信モード決定部は、前記アンテナ送信モードをシングルアンテナ送信モードに決定するときは、シングルアンテナ送信モードにおいて利用するアンテナポートとして、自局にフィードバックされたＷｉｄｅｂａｎｄ  ＣＱＩ（Wideband Channel quality）の平均値の良い方を選択するようにしてもよい。
【００２４】
上記基地局装置において、前記スケジューラモード決定部は、前記未登録端末存否判断部によって自局のカバレッジエリア内に未登録端末が存在しないと判断された場合、前記スケジューラモードをダイナミックスケジューラモードに決定し、前記未登録端末存否判断部によって自局のカバレッジエリア内に未登録端末が存在すると判断された場合、前記スケジューラモードをセミパーシステントスケジューラモードに決定するようにしてもよい。
【００２５】
上記基地局装置において、前記スケジューラモード決定部は、スケジューラモードがセミパーシステントスケジューラであるときに、定期的に、あるいは、イベントドリブン的に、スケジューラモードをセミパーシステントスケジューラモードからダイナミックスケジューラモードに切り替えるようにしてもよい。
【００２６】
上記基地局装置において、前記ＯＦＤＭシンボル数決定部は、前記未登録端末存否判断部によって自局のカバレッジエリア内に未登録端末が存在しないと判断された場合、前記ＯＦＤＭシンボル数を０以外の値に決定し、前記未登録端末存否判断部によって自局のカバレッジエリア内に未登録端末が存在すると判断された場合、前記ＯＦＤＭシンボル数を０に決定するようにしてもよい。
【００２７】
上記基地局装置において、前記ＯＦＤＭシンボル数決定部は、ＯＦＤＭシンボル数が０であるときに、定期的に、あるいはイベントドリブン的にＯＦＤＭシンボル数を０から０以外の値に切り替えるようにしてもよい。
【００２８】
上記問題を解決するために、本発明の他の態様であるプログラムは、予め登録された登録端末のみと通信する基地局装置のコンピュータに、前記登録端末以外の端末である未登録端末が自局のカバレッジエリア内に存在するか否かを判断する判断ステップと、前記判断ステップによる判断結果に基づいて、自局のアンテナ送信モードを決定するアンテナ送信モード決定ステップと、前記判断ステップによる判断結果に基づいて、自局のスケジューラモードを決定するスケジューラモード決定ステップと、前記判断ステップによる判断結果に基づいて、無線リソース割当情報を通知する物理制御チャネルが使用するＯＦＤＭシンボル数を決定するＯＦＤＭシンボル数決定ステップとを実行させることを特徴とする。
【発明の効果】
【００２９】
本発明によれば、登録端末（ＣＳＧ端末）と通信するために設置された小規模の基地局（ＣＳＧ基地局）のカバレッジエリア内に、未登録端末（非ＣＳＧ端末）が存在した場合、未登録端末（非ＣＳＧ端末）の物理制御チャネルの受信品質の低下を防止又は低減することができるようになる。
【図面の簡単な説明】
【００３０】
【図１】本発明の一実施形態によるＣＳＧ基地局装置１０の機能ブロック図である。
【図２】ＣＳＧ基地局装置１０と非ＣＳＧ端末３０との位置関係を説明するための説明図である。
【図３】ＣＳＧ基地局装置１０の動作の一例を示すフローチャートである。
【図４】ＲＥとＲＥＧについて説明するための説明図である。
【図５】マクロセルとフェムトセルについて説明するための説明図である。
【発明を実施するための形態】
【００３１】
以下、本発明の一実施形態について図面を参照して説明する。図１は、本発明の一実施形態によるＣＳＧ基地局装置１０の機能ブロックである。図２は、ＣＳＧ基地局装置１０と非ＣＳＧ端末３０との位置関係を説明するための説明図である。なお、図２に示すように、ＣＳＧ基地局装置１０はＣＳＧ基地局に実際に設置する装置であるため、以下の説明では、ＣＳＧ基地局についてもＣＳＧ基地局１０と表記する。同様に、マクロ基地局装置２０はマクロ基地局に実際に設置される装置であるため、以下の説明では、マクロ基地局についてもマクロ基地局２０と表記する。
【００３２】
ＣＳＧ基地局装置１０は、図１に示すように、非ＣＳＧ端末検知部１１０（未登録端末存否判断部に相当）、アンテナ送信モード決定部１２０、スケジューラモード決定部１３０、ＯＦＤＭシンボル数決定部１４０、ＲＳ生成部１５０、ダウンリンク/アップリンクデータチャネルの無線リソース割当部１６０、ダウンリンク制御チャネルの無線リソース割当部１６２、ＰＤＣＣＨ生成部１６４、データチャネル生成部１６６およびＰＣＦＩＣＨ生成部１７０を備える。
【００３３】
まず、後段の処理である、ＲＳ生成部１５０、ダウンリンク/アップリンクデータチャネルの無線リソース割当部１６０、ダウンリンク制御チャネルの無線リソース割当部１６２、ＰＤＣＣＨ生成部１６４、データチャネル生成部１６６およびＰＣＦＩＣＨ生成部１７０について簡単に説明する。
【００３４】
ＲＳ生成部１５０は、アンテナ送信モード決定部１２０から通知されたアンテナ通信モード（後述）に基づいて、アンテナポートのＲＳ信号（チャネル品質測定用信号）を生成し、所定の無線リソース（図４を参照）に配置する。
【００３５】
ダウンリンク/アップリンクデータチャネルの無線リソース割当部１６０は、アンテナ送信モード決定部１２０から通知されたアンテナ通信モード（後述）、および、スケジューラモード決定部１３０から通知されたスケジューラモード（後述）に基づいて、データチャネル（ＰＤＳＣＨ／ＰＵＳＣＨ）への無線リソースの割り当てを決定する。
ダウンリンク制御チャネルの無線リソース割当部１６２は、アンテナ送信モード決定部１２０から通知されたアンテナ通信モード、および、データチャネル（ＰＤＳＣＨ／ＰＵＳＣＨ）の割当結果に基づいて、ＰＤＣＣＨへの無線リソースの割り当てを決定する。
ＰＤＣＣＨ生成部１６４は、ＰＤＣＣＨの割当結果に基づいて、ＰＤＣＣＨを生成し、所定の無線リソースに配置する。
データチャネル生成部１６６は、データチャネル（ＰＤＳＣＨ）の割当結果、および、ＰＤＣＣＨの割当結果に基づいて、データチャネル（ＰＤＳＣＨ）を生成し、所定の無線リソースに配置する。
【００３６】
ＰＣＦＩＣＨ生成部１７０は、ＯＦＤＭシンボル数決定部１４０から通知されたＯＦＤＭシンボル数に基づいて、ＰＣＦＩＣＨを生成し、所定の無線リソースに配置する。
【００３７】
続いて、前段の処理である、非ＣＳＧ端末検知部１１０、アンテナ送信モード決定部１２０、スケジューラモード決定部１３０およびＯＦＤＭシンボル数決定部１４０について説明する。
【００３８】
非ＣＳＧ端末検知部１１０は、自局１０のカバレッジエリア内に非ＣＳＧ端末３０が存在するか否かを検知する。即ち、非ＣＳＧ端末検知部１１０は、自局１０のカバレッジエリア内に位置していなかった非ＣＳＧ端末３０が自局１０のカバレッジエリア内に位置するようになった旨、自局１０のカバレッジエリア内に位置していた非ＣＳＧ端末３０がまだ自局１０のカバレッジエリア内に位置している旨、および、自局１０のカバレッジエリア内に位置していた非ＣＳＧ端末３０が自局１０のカバレッジエリア内に位置しないようになった旨を検知する。非ＣＳＧ端末検知部１１０は、上述の非ＣＳＧ端末３０の検知結果をアンテナ送信モード決定部１２０、スケジューラモード決定部１３０およびＯＦＤＭシンボル数決定部１４０に通知する。
【００３９】
なお、非ＣＳＧ端末検知部１１０による上述の検知には種々の手法を用いることができる。例えば、非ＣＳＧ端末検知部１１０は、マクロ基地局２０から送信される、非ＣＳＧ端末３０のハンドオーバー（Ｈａｎｄｏｖｅｒ）要求を監視し、自局１０のカバレッジエリア内に非ＣＳＧ端末３０が存在するか否かを検知する。具体的には、図２に示すように、非ＣＳＧ端末３０が、マクロ基地局２０のカバレッジエリア（マクロセルＡ）内において、ＣＳＧ基地局１０のカバレッジエリア（フェムトセルＢ）に移動した場合（図２参照）、マクロ基地局２０は、ＣＳＧ基地局１０に対しハンドオーバー要求を送信する。従って、非ＣＳＧ端末検知部１１０は、閾値以上の非ＣＳＧ端末３０のハンドオーバー要求を、一定期間、マクロ基地局２０から受信した場合に、自局１０のカバレッジエリア内に非ＣＳＧ端末が存在する旨を検知する。また、非ＣＳＧ端末３０が、自局１０のカバレッジエリアから離れていく場合、マクロ基地局２０から送信されるハンドオーバー要求がなくなる。従って、非ＣＳＧ端末検知部１１０は、マクロ基地局２０から送信されていた非ＣＳＧ端末３０のハンドオーバー要求を、一定期間、受信しなくなった場合に、自局１０のカバレッジエリア内から非ＣＳＧ端末が存在しなくなった旨を検知する。
【００４０】
アンテナ送信モード決定部１２０は、非ＣＳＧ端末３０の検知結果を非ＣＳＧ端末検知部１１０から取得する。アンテナ送信モード決定部１２０は、非ＣＳＧ端末３０の検知結果を取得した場合、当該検知結果に基づいて、自局１０のアンテナ送信モードを決定する（詳細は後述）。アンテナ送信モード決定部１２０は、決定したアンテナ送信モードをＲＳ生成部１５０、ダウンリンク/アップリンクデータチャネルの無線リソース割当部１６０、ダウンリンク制御チャネルの無線リソース割当部１６２およびＰＣＦＩＣＨ生成部１７０に通知する。
【００４１】
以下、アンテナ送信モードの決定方法について説明する。
（１．非ＣＳＧ端末３０が自局１０のカバレッジエリア内に存在しない場合）
アンテナ送信モード決定部１２０は、自局１０のカバレッジエリア内に非ＣＳＧ端末３０が存在しない旨の検知結果を取得した場合、自局１０に装備されているアンテナ本数に応じてアンテナ送信モードを決定する。例えば、アンテナ送信モード決定部１２０は、自局１０に装備されているアンテナ本数が２本である場合、２本のアンテナを利用するマルチアンテナ送信モードを決定する。なお、当該場合、ＲＳ生成部１５０は、アンテナポート０と１のチャネル品質測定用信号（ＲＳ信号）を生成し、所定の無線リソース（図４を参照）に配置する。ＰＣＦＩＣＨ、ＰＤＣＣＨも２アンテナポートに配置する。なお、ＰＤＳＣＨ割当はマルチアンテナ送信モードで行う。
【００４２】
（２．非ＣＳＧ端末３０が自局１０のカバレッジエリア内に存在する場合）
アンテナ送信モード決定部１２０は、自局１０のカバレッジエリア内に非ＣＳＧ端末３０が存在する旨の検知結果を取得した場合、以下に示すように、マクロ基地局２０のアンテナ本数に係る情報の有無に応じて、自局１０のアンテナ送信モードを決定する。
【００４３】
（２−１．マクロ基地局２０のアンテナ本数に係る情報が無い場合）
アンテナ送信モード決定部１２０は、自局１０に装備されているアンテナ本数にかかわらず、自局１０のアンテナ送信モードをシングルアンテナ送信モードとする。また、アンテナ送信モード決定部１２０は、シングルアンテナ送信モードにおいて利用するアンテナポートとして、自局１０にフィードバックされたＷｉｄｅｂａｎｄ  ＣＱＩ（Wideband Channel quality）の平均値の良い方を決定（選択）する。従って、自局１０にアンテナ２本が装備されている場合、ＲＳ生成部１５０は、アンテナポート０（あるいは１）の信号のみを生成し、所定の無線リソース（図４を参照）に配置する。また、ＰＣＦＩＣＨ、ＰＤＣＣＨをアンテナポート０（あるいは１）のみに配置する。なお、ＰＤＳＣＨ割当はシングルアンテナ送信モードで行う。
【００４４】
（２−２．マクロ基地局２０のアンテナ本数に係る情報が有る場合）
アンテナ送信モード決定部１２０は、以下の条件に基づいて、自局１０のアンテナ送信モードを決定する。具体的には、アンテナ送信モード決定部１２０は、マクロ基地局２０に装備されているアンテナ本数と自局１０のアンテナ本数との関係に基づいて、自局１０のアンテナ送信モードを決定する。より詳細には、アンテナ送信モード決定部１２０は、マクロ基地局２０に装備されているアンテナ本数−Ｎ、および、自局１０に装備されているアンテナ本数に基づいて、自局１０のアンテナ送信モードを決定する。なお、Ｎは入力パラメータとして予め指定した値である。
【００４５】
（２−２−１．マクロ基地局２０のアンテナ本数−Ｎ＞自局１０に装備されているアンテナ本数）
アンテナ送信モード決定部１２０は、自局１０に装備されているアンテナ本数に基づいて、自局１０のアンテナ送信モードを決定する。具体的には、アンテナ送信モード決定部１２０は、自局１０に装備されているアンテナ本数＝１であるときは、自局１０のアンテナ送信モードをシングルアンテナ送信モードとし、自局１０に装備されているアンテナ本数＞１であるときは、自局１０のアンテナ送信モードを、マルチアンテナ送信モード（送信アンテナ本数＝自局１０に装備されているアンテナ本数）とする。
（２−２−２．マクロ基地局２０のアンテナ本数−Ｎ≦自局１０に装備されているアンテナ本数）
アンテナ送信モード決定部１２０は、マクロ基地局２０のアンテナ本数−Ｎに従って、自局１０のアンテナ送信モードを、マルチアンテナ送信モードに決定する。
（２−２−３．マクロ基地局２０のアンテナ本数−Ｎ≦１）
アンテナ送信モード決定部１２０は、自局１０のアンテナ送信モードをシングルアンテナ送信モードとする。
【００４６】
以上のように、ＣＳＧ基地局１０は、マクロ基地局２０の送信アンテナ本数より少ないアンテナを用いて送信するようにしているため、自局１０のフェムトセル内に存在する非ＣＳＧ端末３０において、マクロ基地局２０から受信するダウンリンク物理制御チャネルに対する自局１０による干渉を低減等させることができるようになる。
【００４７】
例えば、自局１０のＲＳ配置とマクロ基地局２０のＲＳ配置とが重なるような場合であっても、自局１０のカバレッジエリア内の非ＣＳＧ端末３０における、マクロ基地局２０のアンテナポート１（あるいはアンテナポート０）のＲＳ信号受信に対する、自局１０からの干渉がなくなるため、“Ｒａｄｉｏ  ｌｉｎｋ  ｆａｉｌｕｒｅ”が発生しなくなる。
【００４８】
また例えば、自局１０のＲＳ配置とマクロ基地局２０のＰＣＦＩＣＨ／ＰＤＣＣＨ配置とが重なるような場合であっても、自局１０のカバレッジエリア内の非ＣＳＧ端末３０における、マクロ基地局２０のアンテナポート１（あるいはアンテナポート０）のＰＣＦＩＣＨ、ＰＤＣＣＨの受信に対する、自局１０からの干渉が低減する。
【００４９】
スケジューラモード決定部１３０は、非ＣＳＧ端末３０の検知結果を非ＣＳＧ端末検知部１１０から取得する。スケジューラモード決定部１３０は、非ＣＳＧ端末３０の検知結果を取得した場合、当該検知結果に基づいて、自局１０のスケジューラモードを決定する（詳細は後述）。スケジューラモード決定部１３０は、決定したスケジューラモードをダウンリンク／アップリンクデータチャネルの無線リソース割当部１６０に通知する。
【００５０】
以下、スケジューラモードの決定方法について説明する。
（１．非ＣＳＧ端末３０が自局１０のカバレッジエリア内に存在しない場合）
スケジューラモード決定部１３０は、自局１０のカバレッジエリア内に非ＣＳＧ端末３０が存在しない旨の検知結果を取得した場合、自局１０のスケジューラモードをダイナミックスケジューラ（モード）とする。なお、ダイナミックスケジューラの場合、自局１０のダウンリンク／アップリンクデータチャネルの無線リソース割当部１６０は、各ＣＳＧ端末からフィードバックされたＣＱＩ情報に基づいて、サブフレーム毎に、各ＣＳＧ端末のＰＤＳＣＨ／ＰＵＳＣＨに対し無線リソースを割り当てる。
（２．非ＣＳＧ端末３０が自局１０のカバレッジエリア内に存在する場合）
スケジューラモード決定部１３０は、自局１０のカバレッジエリア内に非ＣＳＧ端末３０が存在する旨の検知結果を取得した場合、自局１０のスケジューラモードをセミパーシステントスケジューラ（モード）とする。なお、セミパーシステントスケジューラの場合、ダウンリンク／アップリンクデータチャネルの無線リソース割当部１６０における無線リソースの割り当ては準静（静的）であるため、サブフレームごとにＰＤＳＣＨ／ＰＵＳＣＨを割り当てた無線リソースを各ＣＳＧ端末に通知するためのＰＤＣＣＨは不要となる。
【００５１】
以上のように、ＣＳＧ基地局１０は自フェムトセル内に非ＣＳＧ端末３０が存在する場合には、セミパーシステントスケジューラを利用するようにしているため、自フェムトセル内に存在する非ＣＳＧ端末３０において、マクロ基地局２０から受信するダウンリンク物理制御チャネルに対する、自局１０による干渉を低減等させることができるようになる。
【００５２】
例えば、自局１０のＰＤＣＣＨ配置とマクロ基地局２０のＲＳ配置とが重なるような場合であっても、セミパーシステントスケジューラでは実際には自局１０からＰＤＣＣＨを送信しないため、自局１０のカバレッジエリア内の非ＣＳＧ端末３０における、マクロ基地局２０からのＲＳ信号受信に対する、自局１０による干渉がなく、“Ｒａｄｉｏ  ｌｉｎｋ  ｆａｉｌｕｒｅ”の発生を回避することができる。
【００５３】
また例えば、自局１０のＲＳ配置とマクロ基地局２０のＰＣＦＩＣＨ／ＰＤＣＣＨ配置とが重なるような場合であっても、セミパーシステントスケジューラでは自局１０からＰＤＣＣＨを送信しないため、自局１０のカバレッジエリア内の非ＣＳＧ端末３０における、マクロ基地局２０からのＰＣＦＩＣＨ／ＰＤＣＣＨ信号受信に対する、自局１０による干渉が低減する。
【００５４】
なお、スケジューラモード決定部１３０は、スケジューラモードがセミパーシステントスケジューラであるときに、無線リソース割当を見直すために、定期的に、あるいはイベントドリブン的に、スケジューラモードをセミパーシステントスケジューラからダイナミックスケジューラに切り替えてもよい。具体的には、スケジューラモード決定部１３０は、スケジューラモードをセミパーシステントスケジューラに切り替えた時に、タイマにより所定の時間を計時し、所定の時間が経過する都度、スケジューラモードをセミパーシステントスケジューラからダイナミックスケジューラに切り替える。あるいは、自局１０に新たにRRC_ConnectedとなったＣＳＧ端末が存在する場合、スケジューラモードをセミパーシステントスケジューラからダイナミックスケジューラに切り替える。ダイナミックスケジューラに切り替わったため、ダウンリンク／アップリンクデータチャネルの無線リソース割当部１６０は、無線リソースを割り当てる。その後、スケジューラモード決定部１３０は、非ＣＳＧ端末３０が自局１０のカバレッジエリア内に存在する場合に、スケジューラモードをダイナミックスケジューラからセミパーシステントスケジューラに切り替える。例えば、タイマに設定された時間が１０秒である場合、スケジューラモード決定部１３０は、非ＣＳＧ端末３０を検知したときに、スケジューラモードをセミパーシステントとし、１０秒後にセミパーシステントからダイナミックスケジューラに切り替える。ダイナミックスケジューラに切り替わったため、ダウンリンク／アップリンクデータチャネルの無線リソース割当部１６０は、無線リソースを割り当てる。その後、スケジューラモード決定部１３０は、非ＣＳＧ端末３０が未だ存在する場合には、ダイナミックスケジューラからセミパーシステントスケジューラに切り替える。
【００５５】
以上のように、定期的に、あるいはイベントドリブン的に、スケジューラモードを切り替えて、無線リソースの割当を見直すことができ、自局１０のカバレッジエリア内に非ＣＳＧ端末３０が長い時間存在する場合であっても、定期的に無線リソースの割当を見直すことができる。
【００５６】
ＯＦＤＭシンボル数決定部１４０は、非ＣＳＧ端末３０の検知結果を非ＣＳＧ端末検知部１１０から取得する。ＯＦＤＭシンボル数決定部１４０は、非ＣＳＧ端末３０の検知結果を取得した場合、当該検知結果に基づいて、自局１０においてＰＤＣＣＨに使用するＯＦＤＭシンボル数を決定する（詳細は後述）。ＯＦＤＭシンボル数決定部１４０は、決定したＯＦＤＭシンボル数をＰＣＦＩＣＨ生成部１７０に通知する。
【００５７】
以下、ＰＤＣＣＨに使用するＯＦＤＭシンボル数の決定方法について説明する。
（１．非ＣＳＧ端末３０が自局１０のカバレッジエリア内に存在しない場合）
ＯＦＤＭシンボル数決定部１４０は、自局１０のカバレッジエリア内に非ＣＳＧ端末３０が存在しない旨の検知結果を取得した場合、自局１０のＰＤＣＣＨのＯＦＤＭシンボル数を０以外の値とする。なお、上述の如く、ＰＤＣＣＨのＯＦＤＭシンボル数が０以外の値の場合、ＰＣＦＩＣＨ生成部１７０は、ＰＣＦＩＣＨを送信する必要がある。
（２．非ＣＳＧ端末３０が自局１０のカバレッジエリア内に存在する場合）
ＯＦＤＭシンボル数決定部１４０は、自局１０のカバレッジエリア内に非ＣＳＧ端末３０が存在する旨の検知結果を取得した場合、自局１０のＰＤＣＣＨのＯＦＤＭシンボル数を０とする。なお、ＰＤＣＣＨのＯＦＤＭシンボル数が０の場合（なお、セミパーシステントスケジューラではＰＤＣＣＨは不要となるためＯＦＤＭシンボル数は０となる）、ＰＣＦＩＣＨ生成部１７０は、ＰＣＦＩＣＨを送信する必要がない。
【００５８】
以上のように、ＣＳＧ基地局１０は自フェムトセル内に非ＣＳＧ端末３０が存在する場合には、ＰＤＣＣＨのＯＦＤＭシンボル数を０にしているため、自フェムトセル内に存在する非ＣＳＧ端末３０において、マクロ基地局２０から受信するダウンリンク物理制御チャネルに対する、自局１０による干渉を低減等させることができるようになる。
【００５９】
例えば、自局１０のＰＣＦＩＣＨ配置とマクロ基地局２０のＲＳ配置とが重なるような場合であっても、ＯＦＤＭシンボル数を０としたため、実際には自局１０からＰＣＦＩＣＨを送信しないため、自局１０のカバレッジエリア内の非ＣＳＧ端末３０における、マクロ基地局２０からのＲＳ信号受信に対する、自局１０による干渉がなく、“Ｒａｄｉｏ  ｌｉｎｋ  ｆａｉｌｕｒｅ”の発生を回避することができる。
【００６０】
また例えば、自局１０のＰＣＦＩＣＨ配置とマクロ基地局のＰＣＦＩＣＨ／ＰＤＣＣＨ配置が重なるような場合であっても、ＯＦＤＭシンボル数を０としたため、実際には自局１０からＰＣＦＩＣＨを送信しないため、自局１０のカバレッジエリア内の非ＣＳＧ端末３０における、マクロ基地局２０からのＰＣＦＩＣＨ／ＰＤＣＣＨ信号受信に対する、自局１０による干渉がなくなる。
【００６１】
なお、ＯＦＤＭシンボル数決定部１４０は、ＯＦＤＭシンボル数が０であるときに、無線リソース割当を見直すために、定期的に、あるいは、イベントドリブン的に、ＯＦＤＭシンボル数を０から０以外の値に切り替えてもよい。具体的には、ＯＦＤＭシンボル数決定部１４０は、ＰＤＣＣＨのＯＦＤＭシンボル数を０にした時に、タイマにより所定の時間を計時し、所定の時間が経過する都度、ＯＦＤＭシンボル数を０から０以外の値に切り替える。あるいは、自局１０に新たにRRC_ConnectedとなったＣＳＧ端末が存在する場合、ＯＦＤＭシンボル数を０から０以外の値に切り替える。ＯＦＤＭシンボル数が０以外の値に切り替わったため、ダウンリンク／アップリンクデータチャネルの無線リソース割当部１６０が無線リソースの割当をした後に（ダイナミックスケジューラ）、ＰＣＦＩＣＨ生成部１７０はＰＣＦＩＣＨを送信することができるようになる。その後、ＯＦＤＭシンボル数決定部１４０は、非ＣＳＧ端末３０が自局１０のカバレッジエリア内に存在する場合に、ＯＦＤＭシンボル数を０以外の値から０に切り替える。例えば、タイマに設定された時間が１０秒である場合、ＯＦＤＭシンボル数決定部１４０は、非ＣＳＧ端末３０を検知したときに、ＯＦＤＭシンボル数を０とし、１０秒後に０から０以外の値に切り替える。ＯＦＤＭシンボル数が０以外の値に切り替わったため、ＰＣＦＩＣＨ生成部１７０はＰＣＦＩＣＨを送信することができるようになる。その後、ＯＦＤＭシンボル数決定部１４０は、非ＣＳＧ端末３０が未だ存在する場合には、ＯＦＤＭシンボル数を０以外の値から０に切り替える。
【００６２】
以上のように、定期的に、あるいは、イベントドリブン的に、ＯＦＤＭシンボル数を０から０以外の値に切り替えるようにすれば、自局１０のカバレッジエリア内に非ＣＳＧ端末３０が長い時間存在する場合であっても、無線リソースの割当を見直して、ＰＣＦＩＣＨを送信することができるようになる。なお、ダイナミックスケジューラに切り替えて無線リソースの割当を見直したことによって、ＰＤＣＣＨを送信する必要が生じ、その結果、ＰＣＦＩＣＨを送信する必要が生じるため、ＰＤＣＣＨのＯＦＤＭシンボル数を切り替えるタイミングとスケジューラモードを切り替えるタイミングとは同期する。つまり、ＰＤＣＣＨのＯＦＤＭシンボル数を切り替えるときのタイマは、スケジューラモードを切り替えるときのタイマと同一である。
【００６３】
以下、ＣＳＧ基地局装置１０の動作を説明する。図３は、ＣＳＧ基地局装置１０の動作の一例を示すフローチャートである。但し、図３に示すフローチャートは、非ＣＳＧ端末検知部１１０、アンテナ送信モード決定部１２０、スケジューラモード決定部１３０およびＯＦＤＭシンボル数決定部１４０による処理について説明している。また、図３（ｂ）に示すフローチャートは、図３（ａ）のステップＳ５０の処理の詳細である。
【００６４】
図３（ａ）において、非ＣＳＧ端末検知部１１０は、自局１０のカバレッジエリア内に非ＣＳＧ端末３０が存在するか否かを判断する（ステップＳ１０）。非ＣＳＧ端末検知部１１０は、自局１０のカバレッジエリア内に非ＣＳＧ端末３０が存在しないと判断した場合（ステップＳ１０：Ｎｏ）、自局１０のカバレッジエリア内に非ＣＳＧ端末３０が存在しない旨の判断結果（検知結果）をアンテナ送信モード決定部１２０、スケジューラモード決定部１３０およびＯＦＤＭシンボル数決定部１４０に通知する。一方、非ＣＳＧ端末検知部１１０は、自局１０のカバレッジエリア内に非ＣＳＧ端末３０が存在すると判断した場合（ステップＳ１０：Ｙｅｓ）、自局１０のカバレッジエリア内に非ＣＳＧ端末３０が存在する旨の判断結果（検知結果）をアンテナ送信モード決定部１２０、スケジューラモード決定部１３０およびＯＦＤＭシンボル数決定部１４０に通知する。
【００６５】
アンテナ送信モード決定部１２０は、自局１０のカバレッジエリア内に非ＣＳＧ端末３０が存在しない旨の判断結果を取得した場合（ステップＳ１０：Ｎｏ）、自局１０に装備されているアンテナ本数に応じてアンテナ送信モードを決定する（ステップＳ２０）。一方、アンテナ送信モード決定部１２０は、自局１０のカバレッジエリア内に非ＣＳＧ端末３０が存在する旨の判断結果を取得した場合（ステップＳ１０：Ｙｅｓ）、マクロ基地局２０のアンテナ本数に係る情報の有無に基づいて、自局１０のアンテナ送信モードを決定する（ステップＳ２２）。
【００６６】
スケジューラモード決定部１３０は、自局１０のカバレッジエリア内に非ＣＳＧ端末３０が存在しない旨の判断結果を取得した場合（ステップＳ１０：Ｎｏ）、ステップＳ２０に続いて、自局１０のスケジューラモードをダイナミックスケジューラに決定する（ステップＳ３０）。一方、スケジューラモード決定部１３０は、自局１０のカバレッジエリア内に非ＣＳＧ端末３０が存在する旨の判断結果を取得した場合（ステップＳ１０：Ｙｅｓ）、ステップＳ２２に続いて、自局１０のスケジューラモードをセミパーシステントスケジューラに決定する（ステップＳ３２）。
【００６７】
ＯＦＤＭシンボル数決定部１４０は、自局１０のカバレッジエリア内に非ＣＳＧ端末３０が存在しない旨の判断結果を取得した場合（ステップＳ１０：Ｎｏ）、ステップＳ３０に続いて、自局１０のＰＤＣＣＨのＯＦＤＭシンボル数を０以外の値に決定する（ステップＳ４０）。一方、ＯＦＤＭシンボル数決定部１４０は、自局１０のカバレッジエリア内に非ＣＳＧ端末３０が存在する旨の判断結果を取得した場合（ステップＳ１０：Ｙｅｓ）、ステップＳ３２に続いて、自局１０のＰＤＣＣＨのＯＦＤＭシンボル数を０に決定する（ステップＳ４２）。
【００６８】
ステップＳ４０またはステップＳ４２に続いて、スケジューラモード決定部１３０／ＯＦＤＭシンボル数決定部１４０は、タイマ処理（図３（ｂ））を実行し、図３（ａ）のフローチャートは終了する。
【００６９】
図３（ｂ）において、スケジューラモード決定部１３０は、現在のスケジューラモードはセミパーシステントスケジューラであるか否かを判断する（ステップＳ５２）。スケジューラモード決定部１３０が、現在のスケジューラモードはセミパーシステントスケジューラでないと判断した場合（ステップＳ５２：Ｎｏ）、図３（ｂ）のフローチャートは終了し、図３（ａ）に戻って図３（ａ）のフローチャートも終了する。
【００７０】
スケジューラモード決定部１３０が、現在のスケジューラモードはセミパーシステントスケジューラであると判断した場合（ステップＳ５２：Ｙｅｓ）、セミパーシステントスケジューラとしてから所定の時間が経過したか否かを判断する（ステップＳ５４）。スケジューラモード決定部１３０が、セミパーシステントスケジューラとしてから所定の時間が経過していないと判断した場合（ステップＳ５４：Ｎｏ）、図３（ｂ）のフローチャートは終了し、図３（ａ）に戻って図３（ａ）のフローチャートも終了する。
【００７１】
スケジューラモード決定部１３０が、セミパーシステントスケジューラとしてから所定の時間が経過したと判断した場合（ステップＳ５４：Ｙｅｓ）、自局１０のスケジューラモードをダイナミックスケジューラに決定する（ステップＳ１３０）。即ち、スケジューラモード決定部１３０は、スケジューラモードをセミパーシステントスケジューラからダイナミックスケジューラに切り替える。次いで、ＯＦＤＭシンボル数決定部１４０は、自局１０のＰＤＣＣＨのＯＦＤＭシンボル数を０以外の値に決定する（ステップＳ１４０）。即ち、ＯＦＤＭシンボル数決定部１４０は、ＯＦＤＭシンボル数を０から０以外の値に切り替える。
【００７２】
ステップＳ１４０に続いて、スケジューラモード決定部１３０は、自局１０のスケジューラモードをセミパーシステントスケジューラに決定する（ステップＳ２３２）。即ち、スケジューラモード決定部１３０は、スケジューラモードをダイナミックスケジューラからセミパーシステントスケジューラに切り替える。次いで、ＯＦＤＭシンボル数決定部１４０は、自局１０のＰＤＣＣＨのＯＦＤＭシンボル数を０に決定する（ステップＳ２４２）。即ち、ＯＦＤＭシンボル数決定部１４０は、ＯＦＤＭシンボル数を０以外の値から０に切り替える。そして、図３（ｂ）のフローチャートは終了し、図３（ａ）に戻って図３（ａ）のフローチャートも終了する。
【００７３】
なお、図３（ｂ）に示すフローチャートのステップＳ１４０とステップＳ２３２との間に、非ＣＳＧ端末検知部１１０による上述の判断処理（自局１０のカバレッジエリア内に非ＣＳＧ端末３０が存在するか否かの判断処理）を実行してもよい。即ち、スケジューラモード決定部１３０は、非ＣＳＧ端末３０が存在する旨の判断結果を取得した場合に、スケジューラモードをダイナミックスケジューラからセミパーシステントスケジューラに切り替え、非ＣＳＧ端末３０が存在しない旨の判断結果を取得した場合には、スケジューラモードをダイナミックスケジューラのままとしてもよい。同様に、ＯＦＤＭシンボル数決定部１４０は、非ＣＳＧ端末３０が存在する旨の判断結果を取得した場合に、ＯＦＤＭシンボル数を０以外の値から０に切り替え、非ＣＳＧ端末３０が存在しない旨の判断結果を取得した場合には、ＯＦＤＭシンボル数を０以外の値のままとしてもよい。
【００７４】
また、図３（ａ）に示すフローチャートにおいてステップＳ５０（図３（ｂ））は、省略してもよい。
【００７５】
以上、本発明の一実施形態によるＣＳＧ基地局装置１０によれば、自局１０と通信できない端末（非ＣＳＧ端末）が、自局１０のカバレッジエリア内に存在したときに、当該端末の物理制御チャネル（ＲＳ、ＰＣＦＩＣＨ、ＰＤＣＣＨ）の受信品質の低下を防止又は低減することができるようになる。
【００７６】
なお、上記一実施形態においては、ＣＳＧ基地局装置１０は、図１に示すように、非ＣＳＧ端末検知部１１０、アンテナ送信モード決定部１２０、スケジューラモード決定部１３０、ＯＦＤＭシンボル数決定部１４０、ＲＳ生成部１５０、ダウンリンク/アップリンクデータチャネルの無線リソース割当部１６０、ダウンリンク制御チャネルの無線リソース割当部１６２、ＰＤＣＣＨ生成部１６４、データチャネル生成部１６６およびＰＣＦＩＣＨ生成部１７０を備える態様を説明したが、ＣＳＧ基地局装置１０は、非ＣＳＧ端末検知部１１０、アンテナ送信モード決定部１２０、スケジューラモード決定部１３０およびＯＦＤＭシンボル数決定部１４０のみを備えるようにしてもよい。
【００７７】
なお、本発明の一実施形態によるＣＳＧ基地局装置１０の各処理を実行するためのプログラムをコンピュータ読み取り可能な記録媒体に記録して、当該記録媒体に記録されたプログラムをコンピュータシステムに読み込ませ、実行することにより、本発明の一実施形態によるＣＳＧ基地局装置１０の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００７８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００７９】
以上、この発明の実施形態について図面を参照して詳述してきたが、具体的な構成はこの実施形態に限られるものではなく、この発明の要旨を逸脱しない範囲の設計等も含まれる。
【符号の説明】
【００８０】
１０  ＣＳＧ基地局（ＣＳＧ基地局装置）
２０  マクロ基地局（マクロ基地局装置）
３０  非ＣＳＧ端末
１１０  非ＣＳＧ端末検知部（未登録端末存否判断部）
１２０  アンテナ送信モード決定部
１３０  スケジューラモード決定部
１４０  ＯＦＤＭシンボル数決定部
１５０  ＲＳ生成部
１６０  ダウンリンク/アップリンクデータチャネルの無線リソース割当部
１６２  ダウンリンク制御チャネルの無線リソース割当部
１６４  ＰＤＣＣＨ生成部
１６６  データチャネル生成部
１７０  ＰＣＦＩＣＨ生成部
【図１】
0005335748.tif 000005
【図２】
0005335748.tif 000006
【図３】
0005335748.tif 000007
【図４】
0005335748.tif 000008
【図５】
0005335748.tif 000009